(57)【要約】【課題】車椅子乗車前でのエンジン始動を可能とする安全装置を提供する。【解決手段】車椅子のフレームにストライカを突設する。車椅子固定装置にラッチ機構を設け、車椅子のストライカ内にラッチを挿入して係止した状態でロックできるようにする。ラッチ機構に、ラッチがストライカと係合しないアンロック状態で閉となり、ラッチがストライカに係合したロック状態において開作動する固定装置ロックスイッチ５１を設ける。運転席位置側部に、シフトコントロールユニットを設け、ユニット本体に、Ｐレンジにあるセレクトレバーを拘束するシフトロックソレノイド７２を備えたロック機構を設ける。ブレーキ操作時に開作動するブレーキスイッチ８１と固定装置スイッチ５１とを並列接続し、両スイッチ５１，８１を、シフトロックソレノイド７２の通電経路に設ける。【選択図】          図１
2004275618.tif 000002
【特許請求の範囲】
【請求項１】
車椅子を運転席位置に固定する固定装置を備えるとともに、トランスミッションのセレクトレバーを動力の伝達が断たれたレンジから動力が伝達されるレンジにシフトする際に、所定の条件が成立するまで前記セレクトレバーを拘束するロック手段を備えた車両の安全装置であって、
前記固定装置に前記車椅子が固定されない間は前記ロック手段による前記セレクトレバーの拘束状態を維持する拘束状態維持手段を設けたことを特徴とする安全装置。
【請求項２】
前記ロック手段を、非通電時に前記セレクトレバーの拘束状態を解除するシフトロックソレノイドで構成し、ブレーキペダル操作時に開作動するブレーキスイッチを、前記シフトロックソレノイドへの通電経路に設けるとともに、前記固定装置が前記車椅子を固定した際に開作動する固定装置ロックスイッチを、前記ブレーキスイッチに並列接続して前記拘束状態維持手段を構成したことを特徴とする請求項１記載の安全装置。
【発明の詳細な説明】
【０００１】
【発明の属する技術分野】
本発明は、車椅子を運転席として利用する車両の安全装置に関する。
【０００２】
【従来の技術】
近年、車椅子を運転席として利用する車両が案出されている。
【０００３】
この車両には、運転席位置に配置された車椅子を所定の固定位置で固定する固定装置が設けられており、該固定装置は、前記車椅子を前記固定位置でロックするように構成されている。
【０００４】
また、この車両には、安全装置が設けられており、前記固定装置に車椅子がロックされないと、エンジンを始動できないように構成されている。
【０００５】
【発明が解決しようとする課題】
しかしながら、このような安全装置にあっては、固定装置への車椅子のロックがエンジンの始動条件とされているため、リモコンでエンジンを始動するシステムが搭載されていても、乗車前にエンジンを始動することができなかった。
【０００６】
これにより、乗車前に暖機運転を行ったり、エアコンを作動して室温を調整することができないという問題点があった。
【０００７】
また、車椅子を車室内へ移動するリフター等を作動させた後、エンジンを始動することとなるため、バッテリー容量が少ない場合には、乗車できてもエンジンが掛からなくなる恐れがあった。
【０００８】
本発明は、このような従来の課題に鑑みてなされたものであり、車椅子乗車前でのエンジン始動を可能とする安全装置を提供することを目的とするものである。
【０００９】
【課題を解決するための手段】
前記課題を解決するために本発明の請求項１の安全装置においては、車椅子を運転席位置に固定する固定装置を備えるとともに、トランスミッションのセレクトレバーを動力の伝達が断たれたレンジから動力が伝達されるレンジにシフトする際に、所定の条件が成立するまで前記セレクトレバーを拘束するロック手段を備えた車両の安全装置であって、前記固定装置に前記車椅子が固定されない間は前記ロック手段による前記セレクトレバーの拘束状態を維持する拘束状態維持手段を設けた。
【００１０】
すなわち、車椅子を運転席位置に固定する固定装置が車椅子を固定しない間は、トランスミッションのセレクトレバーの拘束状態が維持される。このため、車椅子を固定装置に固定しない状態において、動力の伝達が断たれたレンジから動力が伝達されるレンジへの前記セレクトレバーのシフトが不能となり、車椅子非固定状態での走行が確実に防止される。
【００１１】
また、請求項２の安全装置では、前記ロック手段を、非通電時に前記セレクトレバーの拘束状態を解除するシフトロックソレノイドで構成し、ブレーキペダル操作時に開作動するブレーキスイッチを、前記シフトロックソレノイドへの通電経路に設けるとともに、前記固定装置が前記車椅子を固定した際に開作動する固定装置ロックスイッチを、前記ブレーキスイッチに並列接続して前記拘束状態維持手段を構成した。
【００１２】
すなわち、非通電時にセレクトレバーの拘束状態を解除するシフトロックソレノイドへの通電経路には、並列接続されたブレーキスイッチ及び固定装置ロックスイッチが設けられている。
【００１３】
このため、固定装置に車椅子を固定して固定装置ロックスイッチを開作動させた状態で、ブレーキペダルを操作してブレーキスイッチを開作動した際に、前記シフトロックソレノイドへの通電が遮断され、前記セレクトレバーのシフトが許容される。
【００１４】
【発明の実施の形態】
以下、本発明の一実施の形態を図に従って説明する。図１は、本実施の形態にかかる安全装置１を示す回路図であり、該安全装置１は、車椅子を運転席として利用する車両に設けられている。
【００１５】
すなわち、この車両は、バックドアで開閉される後部開口部を備えており、該後部開口部から車椅子を乗降するリフターを備えている（図示省略）。このリフターで乗車した車椅子は、後席が跳ね上げられて形成された後部空間を介して、前席側へ移動できるように構成されている。
【００１６】
図２に示すように、前記車両の車体フロア１１には、車椅子を固定する車椅子固定装置１２が運転席位置１３に設けられており、車椅子を運転席位置１３に固定できるように構成されている。この車椅子固定装置１２のケーシング１４には、車両後方Ｒへ向けて開口した切欠部１５，１５が二箇所に形成されており、各切欠部１５，１５の中央部には、前後方向に長い係止溝１６，１６が形成されている。
【００１７】
一方、図３にも示すように、車椅子２１のフレーム底部の二箇所には、コ字状のストライカ２２が下方へ向けて突設されており、これらのストライカ２２を、図２に示したように、各切欠部１５によって中央部の係止溝１６へ案内できるように構成されている。
【００１８】
前記ケーシング１４内には、図３に示したように、ラッチ機構３１が設けられており、該ラッチ機構３１は、前記車椅子２１に設けられたストライカ２２が前記係止溝１６に進入した際に、各ストライカ２２内にラッチ３２を挿入し、各ラッチ３２によってストライカ２２を係止した状態でロックできるように構成されている。
【００１９】
前記各ラッチ機構３１，３１からは、図２に示したように、レバー４１，４１が延出しており、両レバー４１，４１は、連結板４２よって連結されている。この連結板４２に連結された作動板４３には、ケーブル４４から延出したワイヤ４５が接続されており、このワイヤ４５の他端は、運転席位置１３の側部に配置されたコンソールボックスのアンロックレバーに接続されている。
【００２０】
これにより、前記ラッチ３２に前記ストライカ２２が進入した際には、各ラッチ３２，３２が各ストライカ２２，２２を自動ロックする一方、前記アンロックレバーが手動操作された際には、前記各ラッチ３２，３２による各ストライカ２２，２２のロック状態を解除するように構成されている。また、前記ラッチ機構３１，３１には、各ラッチ３２，３２が各ストライカ２２，２２と係合しないアンロック状態で閉となり、各ラッチ３２，３２が各ストライカ２２，２２に係合したロック状態において開作動する固定装置ロックスイッチ５１が設けられている（図１参照）。
【００２１】
前記運転席位置１３の側部には、図４に示すように、シフトコントロールユニット６１が設けられている。該シフトコントロールユニット６１は、車体に固定されるユニット本体６２と、該ユニット本体６２より延出したセレクトレバー６３によって構成されており、該セレクトレバー６３を車両前後方向にシフトしてレンジを変更することで、トランスミッションの接合状態を可変できるように構成されている。
【００２２】
そのレンジとしては、エンジンの駆動力の伝達を遮断しかつタイヤの回転を拘束するＰレンジ、前記駆動力の伝達を遮断するＮレンジ、及び前記駆動力をタイヤに伝達するＤレンジや前記駆動力を逆転してタイヤに伝達するＲレンジ等が挙げられる。
【００２３】
そして、この車両では、前記セレクトレバー６３を前記Ｐレンジにセットした時のみエンジンを始動できるように構成されており、前記ユニット本体６２には、前記Ｐレンジにある前記セレクトレバー６３を拘束するロック機構７１が設けられている。
【００２４】
該ロック機構７１は、ロック手段としてのシフトロックソレノイド７２を備えている（図１参照）。該シフトロックソレノイド７２は、通電時に前記セレクトレバー６３をロックして拘束状態を形成する一方、非通電時には、前記拘束状態を解除して前記セレクトレバー６３のシフトを許容するように構成されている。
【００２５】
また、この車両のブレーキペダルには、図１に示したように、ブレーキスイッチ８１が設けられており、該ブレーキスイッチ８１は、ブレーキ操作時に開作動する一方、ブレーキ非操作時には、閉となるように構成されている。
【００２６】
このブレーキスイッチ８１は、前記固定装置スイッチ５１に並列接続されており、一方の端子がイグニッションスイッチを介してバッテリー電源に接続されている。また、前記ブレーキスイッチ８１及び前記固定装置スイッチ５１の他方の端子は、前記シフトロックソレノイド７２の信号端子に接続されており、該シフトロックソレノイド７２には、前記ブレーキスイッチ８１及び前記固定装置スイッチ５１を介してバッテリー電源が供給されるように構成されている。
【００２７】
このシフトロックソレノイド７２のアース端子は、バッテリーのグランド側に接地されており、前記ブレーキスイッチ８１又は前記固定装置スイッチ５１が閉状態の通電時に作動して、前記Ｐレンジにあるセレクトレバー６３を拘束する一方、前記ブレーキスイッチ８１及び前記固定装置スイッチ５１の両者が開作動した非通電時には、前記Ｐレンジにあるセレクトレバー６３のシフトを許容できるように構成されている。これにより、前記固定装置スイッチ５１によって、前記車椅子固定装置１２に車椅子２１が固定されない間は前記ロック機構７１による前記セレクトレバー６３の拘束状態を維持する拘束状態維持手段が構成されている。
【００２８】
以上の構成にかかる本実施の形態において、車椅子２１を運転席位置１３の車椅子固定装置１２に固定しない間は、固定装置スイッチ５１が閉となり、ブレーキペダルが操作された場合であっても、シフトロックソレノイド７２への通電状態を維持することができる。これにより、エンジン始動時にＰレンジにシフトされたセレクトレバー６３を前記シフトロックソレノイド７２によってロックし、他のレンジへのシフトを防止することができる。
【００２９】
このように、車椅子２１を車椅子固定装置１２に固定しない状態において、駆動力のタイヤへの伝達が断たれたＰレンジから、駆動力がタイヤへ伝達されるＤやＰレンジ等へのセレクトレバー６３のシフトが不能とし、車椅子非固定状態での走行を確実に防止することができる。
【００３０】
したがって、車椅子固定装置１２への車椅子２１の固定をエンジンの始動条件とする必要が無くなり、車椅子２１乗車前でのエンジン始動を、安全性を確保しつつ可能とすることができる。
【００３１】
これにより、乗車前にエンジンを始動して暖機運転を行ったり、エアコンを作動して室温を調整することができる。さらに、エンジン始動後に、リフターを作動して車椅子２１を車室内へ移動することができるため、バッテリー容量不足時において、乗車後にエンジンが掛からないといった不具合を未然に防止することができる。
【００３２】
また、前記セレクトレバー６３を拘束するシフトロックソレノイド７２への通電経路に、並列接続されたブレーキスイッチ８１及び前記固定装置ロックスイッチ５１を設けることにより、当該安全装置１を構築することができる。
【００３３】
そして、車椅子固定装置１２に車椅子２１を固定して固定装置ロックスイッチ５１を開作動させた状態で、ブレーキペダルを操作してブレーキスイッチ８１を開作動することによって、前記シフトロックソレノイド７２への通電を遮断し、前記セレクトレバー６３のシフトを許容することができる。これにより、前記セレクトレバー６３を、駆動力がタイヤへ伝達されるＤレンジへシフトすることができ、走行が可能となる。
【００３４】
【発明の効果】
以上説明したように本発明の請求項１の安全装置では、車椅子を固定装置に固定しない状態において、動力の伝達が断たれたレンジから動力が伝達されるレンジへのセレクトレバーのシフトが不能となり、車椅子非固定状態での走行を確実に防止することができる。
【００３５】
したがって、固定装置への車椅子の固定をエンジンの始動条件とする必要が無くなり、車椅子乗車前でのエンジン始動を、安全性を確保しつつ可能とすることができる。
【００３６】
これにより、乗車前にエンジンを始動して暖機運転を行ったり、エアコンを作動して室温を調整することができる。さらに、エンジン始動後に、リフターを作動して車椅子を車室内へ移動することができるため、バッテリー容量不足時において、乗車後にエンジンが掛からないといった不具合を未然に防止することができる。
【００３７】
また、請求項２の安全装置では、セレクトレバーを拘束するシフトロックソレノイドへの通電経路に、並列接続されたブレーキスイッチ及び固定装置ロックスイッチを設けることにより、当該安全装置を構築することができる。
【００３８】
そして、固定装置に車椅子を固定して固定装置ロックスイッチを開作動させた状態で、ブレーキペダルを操作してブレーキスイッチを開作動した際に、前記シフトロックソレノイドへの通電を遮断し、前記セレクトレバーのシフトを許容することができる。
【図面の簡単な説明】
【図１】本発明の一実施の形態を示す回路図である。
【図２】同実施の形態の車椅子固定装置を示す斜視図である。
【図３】同実施の形態のストライカがラッチにロックされた状態を示す説明図である。
【図４】同実施の形態のシフトコントロールユニットを示す斜視図である。
【符号の説明】
１    安全装置
１２    車椅子固定装置
１３    運転席位置
２１    車椅子
３２    ラッチ
５１    固定装置スイッチ
６３    セレクトレバー
７１    ロック機構
７２    シフトロックソレノイド
８１    ブレーキスイッチ
【図１】
2004275618.tif 000003
【図２】
2004275618.tif 000004
【図３】
2004275618.tif 000005
【図４】
2004275618.tif 000006